(57)【要約】【課題】省電力を図りつつ、乗客数に応じて適切な明るさ確保することのできる乗客コンベアの欄干照明装置の提供。【解決手段】無端状に連結されて移動する踏段２の両側に沿って立設される一対の欄干３に、この欄干３の長手方向に沿って複数の欄干照明灯５を備えた乗客コンベアにおいて、乗客コンベアの乗客率を算出し、乗客率に応じて調光手段６を介して少なくとも３段階に分けて欄干照明灯５の明るさ調光する制御手段７を備えたものである。【選択図】図２
2012062150.tif 000002
【特許請求の範囲】
【請求項１】
無端状に連結されて移動する踏段の両側に沿って立設される一対の欄干に、この欄干の長手方向に沿って複数の欄干照明灯を備えた乗客コンベアにおいて、
乗客コンベアの乗客率を算出し、前記乗客率に応じて調光手段を介して少なくとも３段階に分けて前記欄干照明灯の明るさを調光する制御手段を備えたことを特徴とする乗客コンベア。
【請求項２】
前記欄干照明灯の明るさが、第１段階が３０〜５０％、第２段階が５０〜８０％、第３段階が８０〜１００％の範囲で調光されることを特徴とする請求項１記載の乗客コンベア。
【請求項３】
前記乗客率が大きいほど前記欄干照明灯の明るさを明るくすることを特徴とする請求項１記載の乗客コンベア。
【発明の詳細な説明】
【技術分野】
【０００１】
本発明は、乗客コンベアに関し、特に、省電力を図った乗客コンベアの欄干照明装置に関するものである。
【背景技術】
【０００２】
従来、乗客コンベアの欄干照明装置として省電力を図ったものが種々提案されている。例えば、乗り口付近の照明灯とこれ以外の照明灯の２系統に分けて制御できるようにし、乗客のいないときは乗り口の照明灯のみを点灯し、乗客があるときは全ての照明灯を点灯するもの（例えば、特許文献１参照）、また、欄干照明灯を乗降部付近の照明と中間部の照明に分け、乗客のいないときは乗降部付近の照明のみ点灯し、乗客のあるときは中間部も点灯させるもの（例えば、特許文献２参照）、さらに、乗客の乗った踏段の移動に同期して複数配列される欄干照明灯の明暗を順次変化させるようにしたものがある（例えば、特許文３参照）。
【先行技術文献】
【特許文献】
【０００３】
【特許文献１】特開２００４−３３８８９６号公報（段落番号００１６〜０２２、図１）
【特許文献２】特開２００６−０２１９１８号公報（段落番号０００８〜００１９、図１）
【特許文献３】特開２００７−２８４１６８号公報（段落番号００１７〜００２７、図１）
【発明の概要】
【発明が解決しようとする課題】
【０００４】
しかしながら、前述した従来のものは、乗客の有無に応じて欄干照明灯を点灯および消灯（または減光）するものであり、乗客の増減に対応した配慮は特にされていなかった。即ち、乗客がいる場合、その数にかかわりなく欄干照明灯そのものの明るさは基本的に一定である。したがって、乗客が少ない場合、踏段上に空間があるため限られた欄干照明灯の明るさで、欄干照明灯から離れた位置の明るさも十分確保することができるが、乗客が多くなった場合、踏段上の乗客により欄干照明灯の光が遮られ、乗客コンベアの設置環境によっては、欄干照明灯から離れた位置では安全を確保する上で必要な明るさを確保することができなくなる恐れがあった。
【０００５】
本発明は、前述した従来技術における実状からなされたもので、その目的は、省電力を図りつつ、乗客数に応じて適切な明るさ確保することのできる欄干照明装置を備えた乗客コンベアを提供することにある。
【課題を解決するための手段】
【０００６】
前記目的を達成するために、本発明は、無端状に連結されて移動する踏段の両側に沿って立設される一対の欄干に、この欄干の長手方向に沿って複数の欄干照明灯を備えた乗客コンベアにおいて、乗客コンベアの乗客率を算出し、前記乗客率に応じて調光手段を介して少なくとも３段階に分けて前記欄干照明灯の明るさを調光する制御手段を備えたことを特徴としている。
【０００７】
このように構成した本発明では、乗客率に応じ欄干照明灯の明るさを少なくとも３段階に分けて調光することにより、省電力を図りつつ、適切な明るさ確保することができる。
【０００８】
また、本発明は、前記欄干照明灯の明るさが、第１段階が３０〜５０％、第２段階が５０〜８０％、第３段階が８０〜１００％の範囲で調光されることを特徴としている。
【０００９】
このように構成した本発明では、欄干照明灯の明るさを、第１段階が３０〜５０％、第２段階が５０〜８０％、第３段階が８０〜１００％の範囲で調光することにより、乗客率に応じ、乗客コンベア全域にわたり安全を確保する上で適切な明るさを確保することができる。
【発明の効果】
【００１０】
本発明によれば、乗客率に応じて欄干照明灯の明るさを調節することにより、省電力を図りつつ、乗客コンベア全域にわたり適切な明るさ確保することができ、これによって、省電力を図りつつ、安全性を向上することができる。
【図面の簡単な説明】
【００１１】
【図１】本発明の乗客コンベアの欄干照明装置を備えた乗客コンベアの概略構成図である。
【図２】本発明の乗客コンベアの欄干照明装置の電気回路図である。
【図３】本発明の乗客コンベアの欄干照明装置の処理手順を説明するフローチャートである。
【発明を実施するための形態】
【００１２】
以下、本発明による乗客コンベアの欄干照明装置の実施例を図により説明する。
【００１３】
通常、乗客コンベア１は、無端状に連結されて移動する複数個の踏段２と、これら踏段２の両側に沿って立設された一対の欄干３と、踏段２の移動に同期し、欄干３の上端に沿って移動する移動手摺４とを有している。
【００１４】
そして、本実施例の欄干照明装置は、欄干３の長手方向に沿って配設した複数の欄干照明灯５と、欄干照明灯５に接続される調光手段６と、インバータ出力トルクと乗客コンベアの各仕様、例えば、階高、および駆動機構諸元値から乗客率を算出する制御手段７とを備えている。この乗客率は、乗客コンベアにおける乗客の多さを表し、乗客率が大きいほど乗客が多いことを示している。
【００１５】
制御手段７は、乗客コンベアの乗客率（乗客負荷率）を算出し、調光手段６を介して、例えば、３段階に分けて欄干照明灯５の明るさを調光する。即ち、乗客率が第１の閾値以下（あるいは第１の閾値未満）の場合は、調光手段６を介して欄干照明灯５の明るさを、第１段階として、例えば４０％に調光するとともに、乗客率が第１の閾値より大（あるいは第１の閾値以上）、第２の閾値以下（あるいは第２の閾値未満）の場合は、欄干照明灯５の明るさを、第２段階として、例えば７０％に調光し、かつ、乗客率が第２の閾値より大（あるいは第２の閾値以上）の場合は、欄干照明灯５の明るさを、第３段階として、例えば１００％に調光するようになっている。
【００１６】
次に、乗客率に応じて制御手段７により、調光手段６を制御して欄干照明灯５の減光または増光を行う動作を図３のフローチャートを用いて説明する。
【００１７】
制御装置６により、手順Ｓ１で乗客コンベアが運転中かどうかを確認した後、手順Ｓ２として起動から一定時間が経過したことを確認する。なお、乗客コンベアを起動した時点では、欄干照明灯５はもっとも明るい第３段階、すなわち１００％に設定されている。また、下限の現在閾値を第２の閾値に、上限の現在閾値を第３の閾値（第２の閾値以上の値で、例えば乗客率の取りうる最大値）に設定しておく。
【００１８】
そして、起動から一定時間経過した時点で、手順Ｓ３または手順Ｓ８の判定を並列的に行う。
【００１９】
手順Ｓ３に示すように、乗客率が下限の現在閾値（第２の閾値）を下回ったかどうか判断し、ここで下回っていることが判断された場合、手順Ｓ４として一定時間、下限の現在閾値（第２の閾値）を下回った状態（下限の現在閾値以下、あるいは未満）が継続されたかどうかを判断する。そして、一定時間、下限の現在閾値（第２の閾値）を下回った状態が継続されたことが判断されると、手順Ｓ５に示すように、調光手段６を制御し欄干照明灯５を減光する。このとき、乗客率が第１の閾値以下（あるいは未満）の場合は、手順Ｓ６として調光手段６を介して欄干照明灯５の明るさを第１段階の４０％に調光するとともに、下限の現在閾値を第０の閾値（第１の閾値以下の値で、例えば乗客率の取りうる最小値）に、上限の現在閾値を第１の閾値に設定する。また、乗客率が第１の閾値より大（あるいは以上）、第２の閾値以下（あるいは未満）の場合は、手順Ｓ７として欄干照明灯５の明るさを第２段階の７０％に調光するとともに、下限の現在閾値を第１の閾値に、上限の現在閾値を第２の閾値に設定する。その後、手順Ｓ３または手順Ｓ８の判定に戻る。
【００２０】
また、手順Ｓ８に示すように、乗客率が上限の現在閾値を上回ったこと（上限の現在閾値より大、あるいは以上）が判断されると、手順Ｓ９として一定時間、上限の現在閾値を上回った状態が継続されたかどうかを判断する。そして、一定時間、上限の現在閾値を上回った状態が継続されたことが判断されると、手順Ｓ１０に示すように、調光部６を制御し欄干照明灯５を増光する。このとき、乗客率が第１の閾値より大（あるいは以上）、第２の閾値以下（あるいは未満）の場合は、手順Ｓ１１として調光手段６を介して欄干照明灯５の明るさを第２段階の７０％に調光するとともに、下限の現在閾値を第１の閾値に、上限の現在閾値を第２の閾値に設定する。また、乗客率が第２の閾値より大（あるいは以上）の場合は、手順Ｓ１２として欄干照明灯５の明るさを第３段階の１００％に調光するとともに、下限の現在閾値を第２の閾値に、上限の現在閾値を第３の閾値に設定する。その後、手順Ｓ３または手順Ｓ８の判定に戻る。  本実施例によれば、乗客率に応じて欄干照明灯５の明るさを調節することにより、省電力を図りつつ、乗客コンベア全域にわたり適切な明るさ確保することができ、これによって、コスト低減を図りつつ、安全性を向上することができる。
【００２１】
なお、前述した実施例では、乗客コンベアの乗客率に基づき３段階に分けて欄干照明灯５の明るさを調光するようにしたが、本発明はこれに限らず、さらに多段階で調光するようにしてもよい。また、実施例では、乗客率に応じて、第１段階では欄干照明灯５の明るさを４０％に調光するとともに、第２段階では欄干照明灯５の明るさを７０％に調光し、第３段階では欄干照明灯５の明るさを１００％に調光するようにしたが、本発明はこれに限らず、乗客コンベアの仕様や利用状況に応じ、乗客率に応じて、欄干照明灯５の明るさを第１段階として３０〜５０％の範囲で任意に設定するとともに、欄干照明灯５の明るさを第２段階として５０〜８０％の範囲で任意に設定し、欄干照明灯５の明るさを第３段階として８０〜１００％の範囲で任意に設定することで、乗客率が大きいほど欄干照明灯５の明るさを明るくすることができるので、乗客コンベア全域にわたり安全を確保する上で適切な明るさを確保することができる。さらに、乗客の増減の判断として、乗口にセンサを設け、このセンサによって所定時間内の乗客の乗り込みを検出し、乗客率を算出して増減の判断を行うようにしてもよい。
【符号の説明】
【００２２】
１  乗客コンベア
２  踏段
３  欄干
４  移動手摺
５  欄干照明灯
６  調光手段
７  制御手段
【図１】
2012062150.tif 000003
【図２】
2012062150.tif 000004
【図３】
2012062150.tif 000005